(57)【特許請求の範囲】
【請求項１】
異なる極性の電極が互いに絶縁された状態で交互に積層された電極組立体と、
前記電極組立体並びに電解液が収容されたケースと、
前記ケースに位置し、前記ケース内に発生したガスによって作動することで前記ケース内の圧力をケース外に開放させる圧力開放弁と、
前記電極組立体において対向する一方の面から他方の面に亘って貼り付けられた保持テープと、を備え、
前記圧力開放弁は、前記ガスの圧力を受ける受圧部を有し、
前記保持テープは、前記圧力開放弁の前記受圧部と対向する対向部分を避けて位置しており、
前記受圧部には、前記圧力開放弁の開裂起点を含み、
前記電極組立体における前記受圧部との対向部分には、前記受圧部が投影可能である蓄電装置。
【請求項２】
前記電極組立体の各電極の端部から突出したタブと、
前記タブと電気的に接続された導電部材と、
前記導電部材と電気的に接続された電極端子と、を備え、
前記電極端子は、前記ケースを構成するケース壁のうち、前記圧力開放弁が位置するケース壁から一部が露出しており、
前記対向部分は、前記タブが突出した前記電極組立体のタブ突出面にあり、
当該タブ突出面には、前記保持テープが前記対向部分を避けて位置している請求項１に記載の蓄電装置。
【請求項３】
前記タブ突出面に位置している前記保持テープは、前記電極端子の直下に位置している請求項２に記載の蓄電装置。
【請求項４】
前記電極組立体には、前記受圧部との対向部分に前記ガスの流通路を有する保持テープが貼り付けられている請求項１〜請求項３のうち何れか一項に記載の蓄電装置。
【請求項５】
前記流通路は、前記保持テープに穿設された孔である請求項４に記載の蓄電装置。
【請求項６】
前記蓄電装置は、二次電池である請求項１〜請求項５のうち何れか一項に記載の蓄電装置。
【発明の詳細な説明】
【技術分野】
【０００１】
本発明は、蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、正極電極及び負極電極を有する電極組立体と、この電極組立体を収容したケースと、正極及び負極の電極端子と、を有し、各極性の電極端子と電極組立体とが電気的に接続されている。そして、シート状の正極電極と負極電極とを積層した電極組立体には、電極の積層方向に電極組立体を保持する複数の保持テープが貼り付けられている（例えば、特許文献１参照）。また、二次電池には、ケース内に発生したガスによって作動する作動部材を備えたものがある。この種の作動部材としては、例えば、ケースの圧力が設定圧力を超えたときにケース内の圧力をケース外に開放させる圧力開放弁などが挙げられる（例えば、特許文献１参照）。
【先行技術文献】
【特許文献】
【０００３】
【特許文献１】特開平７−２２０７５３号公報
【発明の概要】
【発明が解決しようとする課題】
【０００４】
二次電池のケース内は、例えば、過充電等などの異常時に電解液から発生するガスによって圧力が高まる。そして、前述した作動部材は、ケース内に発生したガスからの圧力を受けて作動する。このため、二次電池は、作動部材へのガスの流通経路を確保しておくことが好ましい。
【０００５】
この発明は、このような実情に鑑みてなされたものであり、その目的は、電極組立体から発生したガスをケース内で流通させ易い蓄電装置を提供することにある。
【課題を解決するための手段】
【０００６】
上記問題点を解決するための蓄電装置は、異なる極性の電極が互いに絶縁された状態で交互に積層された電極組立体と、前記電極組立体並びに電解液が収容されたケースと、前記ケースに位置し、前記ケース内に発生したガスによって作動することで前記ケース内の圧力をケース外に開放させる圧力開放弁と、前記電極組立体において対向する一方の面から他方の面に亘って貼り付けられた保持テープと、を備え、前記圧力開放弁は、前記ガスの圧力を受ける受圧部を有し、前記保持テープは、前記圧力開放弁の前記受圧部と対向する対向部分を避けて位置している。
【０００７】
これによれば、ケース内で発生したガスは、保持テープによって流通路が遮断されず、圧力開放弁に到達する。このため、圧力開放弁は、作動に必要な圧力を受圧し、良好に作動できる。したがって、電極組立体を保持するために保持テープを採用する場合であっても、ガスを圧力開放弁に対して流通させ易くできる。
【０００８】
上記蓄電装置において、前記受圧部には、前記圧力開放弁の開裂起点を含み、前記対向部分には、少なくとも前記開裂起点を含むとよい。これによれば、圧力開放弁を開裂起点から開裂させることができ、ケース内の圧力をケース外に良好に開放させることができる。
【０００９】
上記蓄電装置において、前記電極組立体の各電極の端部から突出したタブと、前記タブと電気的に接続された導電部材と、前記導電部材と電気的に接続された電極端子と、を備え、前記電極端子は、前記ケースを構成するケース壁のうち、前記圧力開放弁が位置するケース壁から一部が露出しており、前記対向部分は、前記タブが突出した前記電極組立体のタブ突出面にあり、当該タブ突出面には、前記保持テープが前記対向部分を避けて位置しているとよい。これによれば、タブ突出面に保持テープを貼り付けることで、電極組立体の保持力を維持できる。
【００１０】
上記蓄電装置において、前記タブ突出面に位置している前記保持テープは、前記電極端子の直下に位置しているとよい。これによれば、電極端子と電極組立体との間に保持テープを介在させることで、電極端子と電極組立体との短絡を抑制できる。
【００１１】
上記蓄電装置において、前記電極組立体には、前記受圧部との対向部分に前記ガスの流通路を有する保持テープが貼り付けられていてもよい。これによれば、保持テープにより、ガスの流通路を確保しつつ、貼り付け面積も確保されて電極組立体が良好に保持される。
【００１２】
上記蓄電装置において、前記流通路は、前記保持テープに穿設された孔としてもよい。これによれば、流通路を簡単に作ることができる。
上記蓄電装置において、前記蓄電装置の好適な例としては、二次電池を挙げることができる。
【発明の効果】
【００１３】
本発明によれば、作動部材に対してガスを流通させ易くできる。
【図面の簡単な説明】
【００１４】
【図１】（ａ）は二次電池を示す斜視図、（ｂ）は圧力開放弁を拡大した斜視図。
【図２】電極組立体の分解斜視図。
【図３】二次電池の分解斜視図。
【図４】（ａ）は二次電池の内部を示す一部断面図、（ｂ）は圧力開放弁の拡大断面図。
【図５】電極組立体の上面を示す平面図。
【図６】保持テープの別例を示す斜視図。
【図７】保持テープの別例を示す斜視図。
【発明を実施するための形態】
【００１５】
（第１の実施形態）
以下、蓄電装置を二次電池に具体化した第１の実施形態を図１〜図５にしたがって説明する。
【００１６】
図１（ａ）に示すように、蓄電装置としての二次電池１０は、ケース１１を備えている。ケース１１は、一方に開口した有底箱状のケース本体１２と、ケース本体１２の開口部分を塞ぐ平板状の蓋１３とを備えている。ケース本体１２と蓋１３とは、溶接などによって接合されている。
【００１７】
ケース１１は、四角箱状であり、長辺と短辺を有する矩形平板状の底壁１２ａと、底壁１２ａの四辺から立設された複数の側壁と、を有する。底壁１２ａは、ケース本体１２の開口部分を塞ぐ蓋１３と対向する。複数の側壁は、底壁１２ａの四辺において短辺に立設されるとともに対向する２つの短側壁１２ｂ，１２ｃと、底壁１２ａの四辺において長辺に立設されるとともに対向する２つの長側壁１２ｄ，１２ｅと、からなる。長側壁１２ｄ，１２ｅは、短側壁１２ｂ，１２ｃよりも面積が大きい。この実施形態の二次電池１０は、その外観が角型をなす角型電池である。底壁１２ａ、短側壁１２ｂ，１２ｃ、長側壁１２ｄ，１２ｅ、及び蓋１３は、ケース１１を構成するケース壁である。
【００１８】
二次電池１０のケース１１には、電極組立体１４及び電解液（図示略）が収容されている。電解液は、二次電池１０の過充電などの異常時、詳しくは正極の電位が過度に高くなったときに水素ガスを発生する成分を含む。また、二次電池１０は、電極端子としての正極端子１５及び負極端子１６を備える。正極端子１５及び負極端子１６は、蓋１３に締結されている。また、正極端子１５及び負極端子１６は、一部がケース１１の内部に位置し、一部がケース１１（蓋１３）から外部に突出している。なお、本実施形態の二次電池１０は、例えばリチウムイオン電池である。
【００１９】
図２に示すように、電極組立体１４は、異なる極性の電極としての正極電極２１と負極電極２２とを、間にセパレータ２３を介在させて交互に積層した構造である。負極電極２２と正極電極２１との間は、セパレータ２３によって絶縁されている。なお、正極電極２１と、負極電極２２と、セパレータ２３とを積層した方向を電極組立体１４の積層方向とする。
【００２０】
正極電極２１、負極電極２２、及びセパレータ２３は、短辺及び長辺を有する長方形状のシートである。正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。
【００２１】
正極電極２１は、当該正極電極２１の端部２１ｃから突出した形状の正極タブ３１を有する。同様に、負極電極２２は、当該負極電極２２の端部２２ｃから突出した形状の負極タブ３２を有する。正極電極２１と負極電極２２は、各タブ３１，３２の同一極性同士が列状に配置されるように積層されている。
【００２２】
図３及び図４に示すように、この実施形態の電極組立体１４は、正極電極２１と、負極電極２２と、セパレータ２３と、を積層することにより、直方体状に構成されている。電極組立体１４は、積層方向の両端に第１平面１４ａと第１平面１４ａに対向する第２平面１４ｂを有する。第１平面１４ａと第２平面１４ｂには、積層方向から見て正極活物質層２１ｂと負極活物質層２２ｂとが対向する対向領域が投影される。また、電極組立体１４は、第１平面１４ａと第２平面１４ｂを囲む四つの面のうち、その一つの面にタブ突出面としてのタブ側端面１４ｃを備える。また、電極組立体１４は、前記四つの面のうち、その一つの面に底面１４ｄを備え、底面１４ｄはタブ側端面１４ｃに対向する。また、電極組立体１４は、前記四つの面のうち、残りの二つの面に側面１４ｅ，１４ｆを備える。
【００２３】
電極組立体１４の各面は、電極組立体１４をケース１１に収容した状態においてケース１１を構成する各ケース壁に面する。具体的に言えば、第１平面１４ａ及び第２平面１４ｂは、ケース本体１２の長側壁１２ｄ，１２ｅに面する。タブ側端面１４ｃは、蓋１３に面する。底面１４ｄは、ケース本体１２の底壁１２ａに面する。側面１４ｅ，１４ｆは、ケース本体１２の短側壁１２ｂ，１２ｃに面する。
【００２４】
図３に示すように、各正極タブ３１は、電極組立体１４における積層方向の一方に寄せて集められた状態で他方に折り返されている。同様に、各負極タブ３２は、電極組立体１４における積層方向の一方に寄せて集められた状態で他方に折り返されている。各正極タブ３１及び各負極タブ３２は、電極組立体１４のタブ側端面１４ｃから突出し、電極組立体１４のタブ側端面１４ｃから蓋１３に向けて突出している。
【００２５】
図３及び図４に示すように、二次電池１０は、正極タブ３１と正極端子１５とを電気的に接続する導電部材としての正極導電部材４０を備える。正極導電部材４０は、一枚の金属板（本実施形態ではアルミニウム板）で構成されている。アルミニウム板は、箔状であることが望ましい。正極導電部材４０は、ケース１１の蓋１３と電極組立体１４との間に存在し、正極タブ３１及び正極端子１５の双方に接合されている。
【００２６】
正極導電部材４０は、相対的に蓋１３寄りに配置された正極第１接合部４１と、正極第１接合部４１よりも電極組立体１４に近い位置に配置された正極第２接合部４２と、正極第１接合部４１と正極第２接合部４２とを繋ぐ湾曲状の正極第３接合部４３と、を有する。正極第１接合部４１において、電極組立体１４のタブ側端面１４ｃと対向した面（下面）には各正極タブ３１が溶接され、正極第１接合部４１と各正極タブ３１とが電気的に接続されている。正極導電部材４０の正極第１接合部４１は、正極タブ３１との接続部分となる。
【００２７】
正極端子１５は、角柱状の正極頭部５１と、正極頭部５１の座面から突出し、かつ外周面にねじ溝を有する正極軸部５２とを備えている。正極軸部５２は、蓋１３に有る貫通孔１３ｂを介してケース１１外に突出している。正極軸部５２は、絶縁性のＯリング５３に挿通されている。また、正極軸部５２はフランジ付きリング５４に挿通されている。フランジ付きリング５４は、貫通孔１３ｂに嵌合する筒状である。
【００２８】
正極軸部５２には、フランジ付きリング５４の上からナット５５が螺合されており、正極端子１５と蓋１３とはユニット化されている。なお、フランジ付きリング５４は、正極軸部５２と蓋１３の貫通孔１３ｂの周縁部との間、及びナット５５と蓋１３との間に介在している。
【００２９】
正極頭部５１は、ケース１１内に配置されている。正極頭部５１における電極組立体１４側の面には正極導電部材４０の正極第２接合部４２が溶接されている。これにより、正極導電部材４０と正極端子１５とが電気的に接続されている。
【００３０】
二次電池１０は、正極頭部５１の一部を覆う絶縁性の第１正極絶縁部材５７と、正極導電部材４０と電極組立体１４との間に介在する絶縁性の第２正極絶縁部材５８とを備えている。第１正極絶縁部材５７は、蓋１３と正極頭部５１との接触を規制するものであり、正極頭部５１に対して蓋１３側から取り付けられている。第１正極絶縁部材５７は、正極頭部５１の座面及び外周面の一部を覆っている。第２正極絶縁部材５８は、正極導電部材４０と電極組立体１４との接触を規制するものである。
【００３１】
図３及び図４に示すように、二次電池１０は、負極タブ３２と負極端子１６とを電気的に接続する導電部材としての負極導電部材６０を備える。負極導電部材６０は、一枚の金属板（本実施形態では銅板）で構成されている。銅板は、箔状であることが望ましい。負極導電部材６０は、ケース１１の蓋１３と電極組立体１４との間に存在する。
【００３２】
負極導電部材６０は、相対的に蓋１３寄りに配置された負極第１接合部６１を有する。また、図４に示すように、負極導電部材６０は、負極第１接合部６１よりも電極組立体１４に近い位置に配置された負極第２接合部６２と、負極第１接合部６１と負極第２接合部６２とを繋ぐ湾曲状の負極第３接合部６３と、を有する。負極第１接合部６１において、電極組立体１４のタブ側端面１４ｃと対向した面（下面）には各負極タブ３２が溶接され、負極第１接合部６１と各負極タブ３２とが電気的に接続されている。負極導電部材６０の負極第１接合部６１は、負極タブ３２との接続部分となる。
【００３３】
図３に示すように、負極端子１６は、角柱状の負極頭部７１と、負極頭部７１の座面から突出し、かつ外周面にねじ溝を有する負極軸部７２を備える。負極軸部７２は、蓋１３に有る貫通孔１３ｂを介してケース１１外に突出している。負極軸部７２は、絶縁性のＯリング７３に挿通されている。また、負極軸部７２は、絶縁性のフランジ付きリング７４に挿通されている。フランジ付きリング７４は、貫通孔１３ｂに嵌合する筒状である。
【００３４】
負極軸部７２には、フランジ付きリング７４の上からナット７５が螺合されており、負極端子１６と蓋１３とがユニット化されている。なお、フランジ付きリング７４は、負極軸部７２と蓋１３の貫通孔１３ｂの周縁部との間、及びナット７５と蓋１３との間に介在している。
【００３５】
二次電池１０は、一方の極性の電極端子である負極端子１６と電極組立体１４との通電経路上に設けられた電流遮断部材８０を備える。なお、一方の極性の電極端子（負極端子１６）と接続された導電部材は負極導電部材６０である。電流遮断部材８０は、ケース内に発生したガスによって作動する。
【００３６】
また、二次電池１０は、負極頭部７１の座面及び外周面を覆う絶縁性の負極絶縁部材８７と、負極頭部７１と、電流遮断部材８０と、をユニット化するカシメ部材８８を備えている。負極絶縁部材８７は、蓋１３と負極頭部７１との接触を規制するものであり、負極頭部７１に対して蓋１３側から取り付けられている。
【００３７】
また、図１、図３及び図４（ａ）に示すように、二次電池１０のケース１１には、圧力開放弁９０が設けられている。この実施形態の圧力開放弁９０は、ケース１１の蓋１３に位置している。圧力開放弁９０は、蓋１３の板厚よりも薄い薄板状の弁体９１を有する。弁体９１は、蓋１３の上面及び下面のそれぞれに凹設された各凹部の底に位置しており、蓋１３と一体的に成形されている。また、弁体９１の表面には、開裂溝９２を有する。この実施形態の開裂溝９２は、２本の直線溝を「Ｘ」状に交差させた溝である。
【００３８】
また、図４（ｂ）に示すように、開裂溝９２は断面Ｖ字形の溝である。これにより、圧力開放弁９０の弁体９１は、開裂溝９２の位置がさらに薄い。このため、弁体９１において開裂溝９２の位置は、ケース１１の内側から加わる圧力が集中し易く、特に２本の直線溝が交差する交差部Ｐ（図１（ｂ）に示す）にはケース１１の内側から加わる圧力がさらに集中し易い。そして、圧力開放弁９０は、ケース１１内に発生したガスからの圧力を受圧し、ケース１１内の圧力が設定圧力を超えたときに開裂溝９２の交差部Ｐを起点として開裂する。この開裂により、ケース１１内の圧力はケース外に開放される。開裂溝９２の交差部Ｐは、弁体９１が開裂を始める時の起点である開裂起点として想定され、この実施形態における交差部Ｐは弁体９１の中央に位置している。また、図４（ａ）に示すように、圧力開放弁９０の弁体９１の裏面が、ガスからの圧力を受圧する受圧部Ｓとなる。
【００３９】
また、電極組立体１４には、図３及び図４（ａ）に示すように、複数の保持テープｔ１，ｔ２，ｔ３，ｔ４，ｔ５，ｔ６が貼り付けられている。各保持テープｔ１〜ｔ６は、正極電極２１及び負極電極２２の積層方向に電極組立体１４を保持する。保持テープｔ１，ｔ２は、第１平面１４ａ、タブ側端面１４ｃ、第２平面１４ｂに掛けて貼り付けられている。保持テープｔ１，ｔ２は、第１平面１４ａ及び第２平面１４ｂの各長辺に沿う方向に、所定の間隔をおいて貼り付けられている。なお、第１平面１４ａ及び第２平面１４ｂの各長辺に沿う方向は、タブ側端面１４ｃの長辺に沿う方向と一致する。また、保持テープｔ３，ｔ４は、第１平面１４ａ、側面１４ｅ、第２平面１４ｂに掛けて貼り付けられている。保持テープｔ５，ｔ６は、第１平面１４ａ、側面１４ｆ、第２平面１４ｂに掛けて貼り付けられている。保持テープｔ３〜ｔ６は、第１平面１４ａ及び第２平面１４ｂの各短辺に沿う方向に、所定の間隔をおいて貼り付けられている。これらの保持テープｔ１〜ｔ６は、電極組立体１４において対向する一方の面（第１平面１４ａ）から他方の面（第２平面１４ｂ）に亘って設けられている。
【００４０】
図５に示すように、この実施形態において電極組立体１４のタブ側端面１４ｃには、電極組立体１４がケース１１に収容された状態で、圧力開放弁９０の受圧部Ｓ（弁体９１の裏面）を投影できる。この実施形態の二次電池１０において圧力開放弁９０の受圧部Ｓは、正極タブ３１と負極タブ３２との間に投影される。そして、この実施形態では、電極組立体１４のタブ側端面１４ｃが、圧力開放弁９０の受圧部Ｓと対向する対向部分Ｍを有する面となる。受圧部Ｓと対向部分Ｍには、圧力開放弁９０の開裂起点（交差部Ｐ）を含む。
【００４１】
この実施形態では、タブ側端面１４ｃにおいて上記した受圧部Ｓと対向する対向部分Ｍを避けた部分（図５中にドットハッチングで示す）を、保持テープｔ１，ｔ２の貼り付け位置としている。つまり、電極組立体１４に貼り付けられる保持テープｔ１〜ｔ６のうち、タブ側端面１４ｃに位置する保持テープｔ１，ｔ２は、圧力開放弁９０の受圧部Ｓとの対向部分Ｍを避けて位置している。
【００４２】
保持テープｔ１は、図４（ａ）に示すように、正極端子１５の直下に位置するようにタブ側端面１４ｃの端に寄せて貼り付けられている。同様に、保持テープｔ２は、図４（ａ）に示すように、負極端子１６の直下に位置するようにタブ側端面１４ｃの端に寄せて貼り付けられている。上記説明のタブ側端面１４ｃの端は、タブ側端面１４ｃと側面１４ｆとが交差する角部、並びにタブ側端面１４ｃと側面１４ｅとが交差する角部のそれぞれに位置する部位である。保持テープｔ１，ｔ２は、第１平面１４ａ並びに第２平面１４ｂの長辺方向に沿う方向の長さ（幅）が同一若しくはほぼ同一である。また、保持テープｔ１，ｔ２は、第１平面１４ａ、タブ側端面１４ｃ、第２平面１４ｂに掛かる方向（幅に直交する方向）に沿う方向の長さが同一若しくはほぼ同一である。
【００４３】
次に、この実施形態の二次電池１０の作用を説明する。
圧力開放弁９０を備える二次電池１０では、異常時においてケース１１内部でガスが発生すると、これに伴いケース１１の内部圧力が高くなる。このとき、ケース１１内の圧力は、蓋１３の板厚よりも薄い弁体９１の裏面が受圧部Ｓとなることによって弁体９１を外方に膨張させるように加わる。また、弁体９１の開裂溝９２には、ケース１１の内側から加わる圧力によって応力が発生している。そして、圧力開放弁９０は、ケース１１の圧力が設定圧力を超えると開裂し、ケース１１内の圧力が外部に開放される。
【００４４】
この実施形態の電極組立体１４では、タブ側端面１４ｃにおいて保持テープｔ１，ｔ２を、受圧部Ｓとの対向部分Ｍを避けて配置している。これにより、電極組立体１４のタブ側端面１４ｃを通じて発生しているガスは、図４に矢印Ｙで示すように、保持テープｔ１，ｔ２によって流通を阻害されることなく、圧力開放弁９０の受圧部Ｓに到達することになる。つまり、この実施形態の二次電池１０では、保持テープｔ１，ｔ２の貼り付け位置により、発生したガスが圧力開放弁９０の受圧部Ｓに到達し易くなるように流通路が設けられる。
【００４５】
したがって、この実施形態では、以下に示す効果を得ることができる。
（１）電極組立体１４を保持する保持テープｔ１〜ｔ６を貼り付けた場合であっても、ガスの流通路が確保されていることで、圧力開放弁９０は作動に必要な圧力を受圧し、良好に作動できる。これにより、作動性能が向上する。
【００４６】
（２）圧力開放弁９０の受圧部Ｓとの対向部分Ｍを避けて保持テープｔ１，ｔ２を貼り付けている。受圧部Ｓには、圧力開放弁９０の開裂起点（交差部Ｐ）を含んでいる。このため、ケース１１内のガスを受圧部Ｓで受圧させることで、圧力開放弁９０を開裂起点から開裂させることができ、ケース１１内の圧力をケース外に良好に開放させることができる。
【００４７】
（３）タブ側端面１４ｃに保持テープｔ１，ｔ２を貼り付けることで、電極組立体１４の保持力を維持できる。
（４）特に、保持テープｔ１，ｔ２が電極組立体１４のタブ側端面１４ｃの端に位置していることにより、電極組立体１４を良好に保持することができる。これにより、電極組立体１４の積層ずれなどによる電極の短絡などを回避することができる。
【００４８】
（５）また、保持テープｔ１，ｔ２を電極端子（正極端子１５、負極端子１６）と電極組立体１４との間に介在させることで、電極端子と電極組立体１４との短絡を抑制できる。
【００４９】
（６）保持テープｔ１，ｔ２を、圧力開放弁９０の受圧部Ｓとの対向部分Ｍを避けるように貼り付けるので、保持テープ自体に特別な加工などを施す必要がない。このため、二次電池１０の製造工程を簡素化できる。
【００５０】
（第２の実施形態）
次に、蓄電装置を二次電池に具体化した第２の実施形態について図６を用いて説明する。以下に説明する実施形態では、既に説明した実施形態と同一構成については同一符号を付すなどして、その重複する説明を省略又は簡略する。
【００５１】
図６に示すように、この実施形態では、第１の実施形態の保持テープｔ１，ｔ２に代えて形状の異なる保持テープｔ７を貼り付けている。保持テープｔ７は、電極組立体１４のタブ側端面１４ｃであって、正極タブ３１と負極タブ３２との間に貼り付けられている。また、保持テープｔ７は、圧力開放弁９０の直下に位置するように、第１平面１４ａ、タブ側端面１４ｃ、第２平面１４ｂに掛けて貼り付けられている。そして、この実施形態の保持テープｔ７には、ガスの流通路となる孔９５が穿設されている。孔９５は、圧力開放弁９０の輪郭形状と同一形状若しくはほぼ同一形状であり、圧力開放弁９０の受圧部Ｓとの対向部分Ｍに穿設されている。
【００５２】
次に、この実施形態の二次電池１０の作用を説明する。
この実施形態において保持テープｔ７には、圧力開放弁９０の受圧部Ｓとの対向部分Ｍに孔９５が穿設されている。これにより、発生したガスは、保持テープｔ７によって流通を阻害されることなく、圧力開放弁９０の受圧部Ｓに到達することになる。つまり、この実施形態の二次電池１０では、保持テープｔ７により、発生したガスが圧力開放弁９０の受圧部Ｓに到達し易くなるように流通路が設けられる。
【００５３】
したがって、この実施形態では、第１の実施形態の効果（１）〜（５）に加え、以下に示す効果を得ることができる。
（７）保持テープｔ７にガスの流通路を作り、圧力開放弁９０の受圧部Ｓにガスが流れるようにしている。このため、保持テープｔ７により、ガスの流通路を確保しつつ、貼り付け面積も確保できる。したがって、圧力開放弁９０の作動性能を向上させることができるとともに、保持テープｔ７によって電極組立体１４を良好に保持できる。そして、この実施形態では、単一の保持テープｔ７にガスの流通路として孔９５を穿設しているので、流通路を簡単に作ることができる。
【００５４】
なお、本実施形態は以下のように変更してもよい。
○  図７に示すように、第２の実施形態における保持テープｔ７に代えて、第１の保持テープｔ８ａと第２の保持テープｔ８ｂとを繋いで貼り付けても良い。第１の保持テープｔ８ａと第２の保持テープｔ８ｂのそれぞれは側方に開口する切欠部９６を有する。そして、第１の保持テープｔ８ａと第２の保持テープｔ８ｂとを繋いで貼り付けることにより、保持テープｔ７の孔９５に相当する孔９５ａが形成される。孔９５ａは、圧力開放弁９０の輪郭形状と同一形状若しくはほぼ同一形状であり、圧力開放弁９０の受圧部Ｓとの対向部分Ｍに位置する。この構成でも、第２の実施形態と同様の効果を得ることができる。
【００５５】
○  第１の実施形態において、タブ側端面１４ｃにある保持テープｔ１，ｔ２の配置は、受圧部Ｓとの対向部分Ｍを避けていれば変更しても良い。例えば保持テープｔ１は正極タブ３１寄りに位置し、保持テープｔ２は負極タブ３２寄りに位置していても良い。また、第１の実施形態において、保持テープｔ３〜ｔ６によって電極組立体１４を保持できるのであれば、保持テープｔ１，ｔ２を貼り付けなくても良い。
【００５６】
○  第１の実施形態の保持テープｔ１，ｔ２に加えて、第２の実施形態の保持テープｔ７、若しくは図７の第１の保持テープｔ８ａと第２の保持テープｔ８ｂを貼り付けても良い。
【００５７】
○  電極組立体１４において側面１４ｅ，１４ｆにある保持テープｔ３〜ｔ６の配置（個数を含む）は変更しても良い。また、底面１４ｄに保持テープを貼り付けても良い。
○  電極組立体１４において、圧力開放弁９０の受圧部Ｓとの対向部分Ｍが、タブ側端面１４ｃとは異なる面に存在していても良い。
【００５８】
○  二次電池１０は、圧力開放弁９０のみを備えていても良い。
○  第１の実施形態では、図５に示すように、圧力開放弁９０の全体を避ける位置に保持テープを貼り付けたが、保持テープは少なくとも圧力開放弁９０の開裂起点（交差部Ｐ）を避けて貼り付けても良い。例えば、開裂溝９２の直下を避けて貼り付けても良いし、第１の実施形態の開裂溝９２のように交差溝であれば交差部Ｐを避けて貼り付けても良い。
【００５９】
○  電流遮断部材８０を設ける一方の極性の電極端子を正極端子１５としても良い。このとき、一方の極性の電極端子である正極端子１５と接続される導電部材は正極導電部材４０となる。
【００６０】
○  電流遮断部材８０は、電極端子に一体化されたものでなくても良い。例えば、負極第１接合部６１と負極第２接合部６２との間に位置して通電経路を構成し、ガスの圧力を受けることで通電経路を遮断しても良い。
【００６１】
○  電流遮断部材８０の具体的な構成は変更しても良い。
○  圧力開放弁９０の具体的な構成は変更しても良い。例えば、弁体９１の形状や開裂溝９２の形状を変更しても良い。
【００６２】
○  電極組立体１４の具体的な構成は変更しても良い。例えば、正極電極２１、負極電極２２、セパレータ２３の形状を変更しても良い。例えば、正面視正方形でも良い。
○  負極導電部材６０の負極第１接合部６１や正極導電部材４０の正極第１接合部４１を覆う絶縁カバーを取り付けても良い。この絶縁カバーは、ケース１１内であって、負極第１接合部６１並びに正極第１接合部４１の各上面と蓋１３の裏面との間に位置する。なお、絶縁カバーは、圧力開放弁９０の受圧部Ｓとの対向部分Ｍを避けて位置していることが望ましく、例えば受圧部Ｓとの対向部分Ｍにガスの流通路となる孔が穿設されていても良い。
【００６３】
○  二次電池１０は、異常時に水素ガス以外のガス（例えばメタンガスや、二酸化炭素、一酸化炭素など）を発生する成分を含む電解液を有する二次電池にも適用可能である。
○  実施形態は、例えばキャパシタなど、二次電池以外の蓄電装置にも適用可能である。
【００６４】
○  二次電池１０は、車載用に限らず、住宅などに用いる定置用でも良い。
○  積層型の二次電池１０に限らず、帯状の正極電極と帯状の負極電極を捲回して層状に積層した捲回型の二次電池に適用しても良い。
【符号の説明】
【００６５】
１０…蓄電装置としての二次電池、１１…ケース、１４…電極組立体、１４ｃ…電極組立体の面としてのタブ側端面、１５…電極端子としての正極端子、１６…電極端子としての負極端子、３１…正極タブ、３２…負極タブ、４０…導電部材としての正極導電部材、６０…導電部材としての負極導電部材、９０…圧力開放弁、９５，９５ａ…孔、Ｓ…受圧部、Ｍ…対向部分、ｔ１〜ｔ７，ｔ８ａ，ｔ８ｂ…保持テープ。
【図１】
0006531470.tif 000002
【図２】
0006531470.tif 000003
【図３】
0006531470.tif 000004
【図４】
0006531470.tif 000005
【図５】
0006531470.tif 000006
【図６】
0006531470.tif 000007
【図７】
0006531470.tif 000008